(57)【要約】【課題】  地盤状態にかかわらず、孔壁の崩壊を発生させないでポリマーゲルのみからなる地中連続壁を構築することのできるポリマーゲルからなる地中連続壁の構築方法を提供する。【解決手段】  地盤土がポリマーゲルに置換されたポリマー円柱体２Ａ，２Ｂを複数、一部を互いに重複させながら地中に順次構築して構築する。先に構築されるポリマー円柱体２Ａを構築した後、当該ポリマー円柱体２Ａに当該ポリマー円柱体２Ａと当該ポリマー円柱体２Ａの後から構築されるポリマー円柱体２Ｂとを仕切る仕切板４を建て込む。次に当該仕切板４をガイトにしてポリマー円柱体２Ｂを構築する。前記仕切板４をクレーンで引き上げる。【選択図】                図４
2006274631.tif 000002
【特許請求の範囲】
【請求項１】
地盤土がポリマーゲルに置換されたポリマーゲルからなる地中連続壁の構築工法において、地盤土がポリマーゲルに置換された単位構造体を先に構築した後、
当該単位構造体と一部を重複させる位置に当該単位構造体と当該単位構造体の後から構築される単位構造体とを仕切る仕切部材を建て込み、次に当該仕切部材をガイトとして後から構築される地盤土がポリマーゲルに置換された単位構造体を構築し、前記仕切部材を引き上げることを特徴とするポリマーゲルからなる地中連続壁の構築方法。
【請求項２】
単位構造体は、ポリマー水溶液と架橋剤との液状混合物を溶液状態で地盤土と置換し、当該液状混合物を地中で経時的にポリマーゲルとする方法で構築することを特徴とする請求項１記載のポリマーゲルからなる地中連続壁の構築方法。
【請求項３】
単位構造体は、ポリマー水溶液と架橋剤との液状混合物を溶液状態で地盤土と置換し、当該液状混合物内の高分子が地中で経時的に架橋して立体網目状構造体の空間に水が安定状態で満たされて弾性のあるポリマーゲルとする方法で構築することを特徴とする請求項１または２記載のポリマーゲルからなる地中連続壁の構築方法。
【請求項４】
単位構造体は、掘削装置によって掘削土を地上に排出しながら所定の深度まで掘削した後、前記掘削装置を当該掘削装置の下方からポリマー水溶液と架橋剤との液状混合物を吐出しながら引き上げることにより構築することを特徴とする請求項１〜３のいずれかに記載のポリマーゲルからなる地中連続壁の構築方法。
【請求項５】
仕切部材は、所定の深度まで掘削した際の掘削装置の下端部より下方まで建て込むことを特徴とする請求項４記載のポリマーゲルからなる地中連続壁の構築方法。
【請求項６】
地盤土がポリマーゲルに置換されたポリマーゲルからなる地中連続壁の構築工法において、地盤土がポリマーゲルに置換された単位構造体を先に構築した後、
仕切部材を、当該単位構造体と一部を重複させる位置であって当該単位構造体と当該単位構造体の後から構築される単位構造体とを仕切る位置に建て込むと共に、
掘削装置の下降に伴い、前記仕切部材を該掘削装置の下側に来るように保ちながら前記掘削装置の下降と同時に、前記仕切部材を下降させて、該掘削装置によって掘削土を地上に排出しながら所定の深度まで掘削し、次に前記掘削装置の下方よりポリマー水溶液と架橋剤との液状混合物を吐出しながら当該掘削装置を前記仕切部材とともに引き上げることを特徴とするポリマーゲルからなる地中連続壁の構築方法。
【請求項７】
仕切部材は、掘削装置に装備されていると共に、当該掘削装置の下端部より下方に延長して存在することを特徴とする請求項６記載のポリマーゲルからなる地中連続壁の構築方法。
【請求項８】
先に構築された単位構造体がポリマーゲルになった後に、後から構築される単位構造体を構築することを特徴とする請求項１〜７のいずれかに記載のポリマーゲルからなる地中連続壁の構築方法。
【請求項９】
単位構造体を円柱状に構築することを特徴とする請求項１〜８のいずれかに記載のポリマーゲルからなる地中連続壁の構築方法。
【請求項１０】
単位構造体を四角柱状に構築することを特徴とする請求項１〜８のいずれかに記載のポリマーゲルからなる地中連続壁の構築方法。
【発明の詳細な説明】
【技術分野】
【０００１】
本発明は、ポリマーゲルからなる地中連続壁の構築方法に関するものである。
【背景技術】
【０００２】
ポリマーゲルは従来から公知であり、生体触媒の固定化坦体、保水材、保冷材などに使用されている(例えば、特許文献１、特許文献２参照)。
【０００３】
また、土木用にも利用可能であるポリマーゲル用組成物が提案され(例えば、特許文献３参照)、地盤の開口部にポリマー溶液を注入し、地盤中でポリマーゲルとすることも公知である(例えば、特許文献４参照)。
【０００４】
さらに、地盤土と改良材とを置換させる工法も知られている(例えば、特許文献５、特許文献６参照)。
【特許文献１】特開平６−５７０１２号公報(段落番号０００２)
【特許文献２】特開平７−４１５１６号公報(段落番号０００２)
【特許文献３】特開２００２−２９４０１４号公報(段落番号０００１、段落番号００１６)
【特許文献４】特開２００２−３７１２７８号公報(段落番号００７、段落番号段落番号００１０〜段落番号００１１)
【特許文献５】特開２００２−１４６７６２号公報(段落番号０００４、要約)
【特許文献６】特開昭６２−２８０４１３号公報(特許請求の範囲、第１図)
【発明の開示】
【発明が解決しようとする課題】
【０００５】
改良材で置換する工法において、特許文献６に開示されているように、改良地盤で置換された単位構造体を互いに一部重複されることにより改良材で置換された連続体とする工法を、ポリマーゲルの連続壁の築造方法に適用すると、ポリマーが施工状態では流動性があり、例えばポリマーゲルとなるポリマー溶液が充填された先行の単位構造体を構築した後に、後行の単位構造体を構築するために地盤土を排土する際にポリマーゲルとなるポリマー溶液が流動して掘削土中に流れ込むので、掘削土が混入しないポリマーゲルが充填された壁体を地中に構築することは困難であった。
【０００６】
それ故、ポリマーゲルからなる壁体を地中に構築する方法として、特許文献４に記載されたように、地盤に間隙を設け、その中にポリマーゲルとなるポリマー溶液を注入するという方法でしかポリマーゲルからなる壁体を構築することができなかった。
【０００７】
しかしながら、この従来方法によると、空掘り溝を設けても孔壁が崩壊しないような硬質地盤でないと深い溝を構築できず、またポリマーゲルとなるポリマー溶液の注入による孔壁の崩壊を避ける必要があった。  また、柔軟な地盤では浅い空掘り溝しか構築できず、ポリマーゲルからなる壁体は浅いものしか構築できなかった。
【０００８】
更に、特許文献５や特許文献５等にて知られている掘削装置で地盤土を排土した後に該掘削装置の底面部から置換材を排出させて、地盤土と改良材とを置換させる工法を単に使用しても、連続壁状にするために、次の掘削置換作業をすると、上述したように、ポリマーゲルとならずに流動性を保持しているため、先に構築したポリマーゲルとなる溶液中に掘削土が混合したり、掘削土中に先に構築したポリマーゲルとなる溶液が混合したりする。そのためにポリマーゲル中に掘削土が混合した壁体にしかならない。
【０００９】
このような理由により、従来工法では、地中に深度があり、掘削土が混合しないポリマーゲルの構造体は独立した単独の柱体状にしか構築できず、壁体状に連続した構造を構築できなかった。
【００１０】
本発明は、以上の課題を解決するためになされたもので、地盤状態にかかわらず、孔壁の崩壊を発生させないでポリマーゲルのみからなる地中連続壁を構築することのできるポリマーゲルからなる地中連続壁の構築方法を提供することを目的とするものである。
【課題を解決するための手段】
【００１１】
請求項１記載のポリマーゲルからなる地中連続壁の構築工法は、地盤土がポリマーゲルに置換されたポリマーゲルからなる地中連続壁の構築工法において、地盤土がポリマーゲルに置換された単位構造体を先に構築した後、当該単位構造体と一部を重複させる位置に当該単位構造体と当該単位構造体の後から構築される単位構造体とを仕切る仕切部材を建て込み、次に当該仕切部材をガイトとして後から構築される地盤土がポリマーゲルに置換された単位構造体を構築し、前記仕切部材を引き上げることを特徴とするものである。
【００１２】
単位構造体を複数、一部を互いに重複させながら地中に順次構築する場合、例えば先に構築される単位構造体を構築した後、当該単位構造体の後から構築される単位構造体を先に構築された単位構造体に一部を重複させて構築してもよく、あるいは先に構築される単位構造体を複数、間隔をあけて構築し、続いて、当該単位構造体の間に、その後から構築される単位構造体を、先に構築された両側の単位構造体と一部を互いに重複させて構築してもよい。
【００１３】
いずれの場合も、後から構築される単位構造体を構築する前に、先に構築された単位構造体に当該単位構造体と当該単位構造体の後から構築される単位構造体とを仕切る仕切部材を建て込み、当該仕切部材をガイドとして後から構築される単位構造体を構築するのがよい。
【００１４】
また、この場合の単位構造体は円柱状に構築しても長方形や正方形などの四角柱状に構築してもよく、円柱状の単位構造体を複数、互いに一部を重複させて構築する場合は、断面円弧状の仕切部材を使用し、四角柱状の単位構造体を複数、互いに一部重複させて構築する場合は、平板状の仕切部材を使用することが好ましい。
【００１５】
また、これらの仕切部材は、ポリマーゲルやポリマーゲルとなる溶液との離形性がよい素材であるか、離形性をよくするための表面層が存在するようにしたものであることが最も好ましい。
【００１６】
この点から、本発明で使用する仕切部材は、鋼製でもプラスチック製でもよい。好ましい例として、例えば、掘削時の損傷を避け、建て込みが容易な厚みのある鋼製のもので、必要ならば表面に剥離剤を塗布したものやポリマーゲルなる溶液などとの縁切りが容易なアクリル板などののプラスチック製のものが挙げられる。これらのものは加工性もよく、任意の形状の仕切部材とし得る。
【００１７】
また、前記の地盤土がポリマーゲルに置換された単位構造体におけるポリマーゲルは、地盤土に置換する際に、ゲル状になっているポリマーゲルを使用してもよい。
【００１８】
請求項２記載のポリマーゲルからなる地中連続壁の構築方法は、請求項１記載の地中連続壁の構築方法において、単位構造体をポリマー水溶液と架橋剤との液状混合物を溶液状態で地盤土と置換し、当該液状混合物を地中で経時的にポリマーゲルとする方法で構築することを特徴とするものである。
【００１９】
ポリマーゲルとなる溶液、即ちポリマー水溶液と架橋剤を混合した溶液状態で施工するとすると、施工時の粘度を低くすることができるので、地中へ埋設しやすく、地中でポリマーゲルとなるので、ポリマー水溶液と架橋剤を混合した状態で施工してポリマーゲルが充填された単位構造体とすることが更に好ましい。
【００２０】
なお、ポリマー水溶液と架橋剤を混合した状態で施工しても、少なくとも数分内に好ましくは１時間から数時間内に土中に埋設された状態でポリマーゲルになるものでも、また土中の水分によりポリマーゲルの状態となるものでも、土中に埋設された状態では、ポリマーゲルの状態を持続する限り、本発明で使用できるポリマーゲルである。
【００２１】
上記のポリマーゲルとなる溶液における架橋剤と共に使用するポリマー水溶液におけるポリマーは、ポリマーゲルとなるものであれば、何でもよいが、ポリビニルアルコールを使用することがポリマーゲルとすることが容易であるばかりか、入手し易さ等の点から好ましい。
【００２２】
また、上記の架橋剤としては、チタンラクテート、ジイソプロポキシチタンビストリエタノールアミネートなどの有機チタン化合物、モノヒドロキシトリス(ラクテート)ジルコニウムアンモニウム、テオラキス(ラクテート)ジルコニウムアンモニウム等の有機ジルコニウム化合物、トリメチロールメラミン等が挙げられ、これらの中では有機チタン化合物が最も好ましい架橋剤である。
【００２３】
また、本発明で構築する好ましいポリマーゲルは、高分子が含水状態でゲルになり弾性のある状態になっているものであり、高分子が架橋して立体網目状構造体の空間に水が安定状態で満たされて弾性のあるゲルとなるものであってもよい。
【００２４】
また、これらのポリマーゲルの中で、土中の水分により、土中に埋設された状態でポリマーゲルの状態になるものでもよい。
【００２５】
請求項３記載のポリマーゲルからなる地中連続壁の構築方法は、請求項１または２記載の地中連続壁の構築方法において、単位構造体は、ポリマー水溶液と架橋剤との液状混合物を溶液状態で地盤土と置換し、当該液状混合物内の高分子が地中で経時的に架橋して立体網目状構造体の空間に水が安定状態で満たされて弾性のあるポリマーゲルとする方法で構築することを特徴とするものである。
【００２６】
本発明の場合、特に前記のポリマーゲルに置換された単位構造体におけるポリマーゲルは、高分子が架橋して立体網目状構造体の空間に水が安定状態で満たされて弾性のあるゲルとなるポリマーゲルであることが、土中に埋設された状態でポリマーゲルの状態をより安定した状態で長く持続させることができ、産業廃棄物などの遮断壁などに使用する点から好ましい。
【００２７】
請求項４記載のポリマーゲルからなる地中連続壁の構築方法は、請求項１〜３のいずれかに記載の地中連続壁の構築方法において、単位構造体は、掘削装置によって掘削土を地上に排出しながら所定の深度まで掘削した後、前記掘削装置を当該掘削装置の下方からポリマー水溶液と架橋剤との液状混合物を吐出しながら引き上げることにより構築することを特徴とするものである。
【００２８】
本発明は特に、掘削土を地上に排出しながら所定の深度まで掘削し、続いて直ぐに、掘削装置を当該掘削装置の下方よりポリマー水溶液と架橋剤との液状混合物を吐出しながら引き上げることにより、ポリマーゲルに置換された単位構造体を構築するので、単位構造体内に地盤土が混入する余地がなく、掘削土の混ざらない単位構造体を構築することができる。
【００２９】
請求項５記載のポリマーゲルからなる地中連続壁の構築方法は、請求項４記載の地中連続壁の構築方法において、仕切部材は、所定の深度まで掘削した際の掘削装置の下端部より下方まで建て込むことを特徴とするものである。
【００３０】
本発明は、上記したいずれの請求項に係る発明においても、後から構築される単位構造体を構築する前に、所定の深度まで掘削したときの掘削底より下方まで仕切部材を建て込み、続いて後から構築される単位構造体を構築するので、ポリマーゲルに置換された単位構造体にとなった状態で地盤土が混入することがないので更に好ましい施工方法である。
【００３１】
請求項６記載のポリマーゲルからなる地中連続壁の構築方法は、地盤土がポリマーゲルに置換されたポリマーゲルからなる地中連続壁の構築工法において、地盤土がポリマーゲルに置換された単位構造体を先に構築した後、仕切部材を、当該単位構造体と一部を重複させる位置であって当該単位構造体と当該単位構造体の後から構築される単位構造体とを仕切る位置に建て込むと共に、掘削装置の下降に伴い、前記仕切部材を該掘削装置の下側に来るように保ちながら前記掘削装置の下降と同時に、前記仕切部材を下降させて、該掘削装置によって掘削土を地上に排出しながら所定の深度まで掘削し、次に前記掘削装置の下方よりポリマー水溶液と架橋剤との液状混合物を吐出しながら当該掘削装置を前記仕切部材とともに引き上げることを特徴とするものである。
【００３２】
請求項６記載の本発明では、仕切部材の引き下げと引き上げを単位構造の構築工程と同期して行うことで、仕切部材を引き上げた後に単位構造体の構築を行い、その後に仕切部材を引き上げる工程に比べて、施工の大幅な効率化を図ることができた。
【００３３】
請求項７記載のポリマーゲルからなる地中連続壁の構築方法は、請求項６記載の地中連続壁の構築方法において、仕切部材は掘削装置に装備されていると共に、当該掘削装置の下端部より下方に延長して存在することを特徴とするものである。
【００３４】
請求項７記載の本発明では、仕切部材が掘削装置に取り付けられていることで、仕切部材の建て込みや、引き下げ、引き上げを掘削装置の操作を介して行うことができ、単位構造体の構築と仕切部材の操作を自動的に行うことができ、施工をきわめて効率的に行うことができる。
【００３５】
しかも仕切部材が、掘削装置の下端部より下方に延長して存在することにより、掘削装置の掘削時において掘削部分より下方に仕切部材の先端が存在することになるので、先に構築した部分に存在しているポリマー中に掘削土が混入させないようにすることが自動的に可能になる。
【００３６】
請求項８記載のポリマーゲルからなる地中連続壁の構築方法は、請求項１〜７のいずれかに記載の地中連続壁の構築方法において、先に構築された単位構造体がポリマーゲルになった後に、後から構築される単位構造体を構築することを特徴とするものである。
【００３７】
本発明は特に、先に構築された単位構造体がポリマーゲルになった後に、当該単位構造体の後から構築される単位構造体を構築することで、後から構築される単位構造体を構築する際に、先に構築された単位構造体のポリマーゲルの流動性が少なくなっているため、後から構築される単位構造体を構築する際に誤って地盤中に仕切部材を建て込んでも、地盤土が混入するという危険性を回避することができて特に好ましい。
【００３８】
請求項９記載のポリマーゲルからなる地中連続壁の構築方法は、請求項１〜８のいずれかに記載の地中連続壁の構築方法において、単位構造体を円柱状に構築することを特徴とするものである。
【００３９】
請求項１０記載のポリマーゲルからなる地中連続壁の構築方法は、請求項１〜８のいずれかに記載の地中連続壁の構築方法において、単位構造体を四角柱状に構築することを特徴とするものであり、単位構造体を四角柱状に構築すると、円柱状に構築する場合に比して、単位構造体の重複部分を少なくすることができる。
【発明の効果】
【００４０】
本発明は、地盤土がポリマーゲルに置換された単位構造体を複数、一部を互いに重複させながら地中に順次構築して地中連続壁とするポリマーゲルからなる地中連続壁の構築方法を採用し、特に先に構築される単位構造体を構築した後、当該単位構造体の中に当該単位構造体と当該単位構造体の後から構築される単位構造体とを仕切る仕切部材を建て込み、次に当該仕切部材をガイトにして後から構築される単位構造体を構築し、前記仕切部材を引き上げるため、掘削土の混入することが極めて少なく、したがって、軟弱地盤においてもポリマーゲルからなる地中連続壁を必要な深さおよび長さにきわめて効率的に構築することができる等の効果を有する。
【００４１】
また、地中連続壁はオーガースクリューやカッターチェーンを備えた既存の建設用重機で施工可能な円柱状や四角柱状の単位構造体を地中に連設して構築するため、特に新規の施工機械を準備する必要がなく、そのため重機の調達が容易で実用性が大いに期待できる。
【発明を実施するための最良の形態】
【００４２】
以下の実施例では、架橋剤として有機チタン化合物であるジイソプロポキシチタンビストリエタノールアミネート(松本製薬工業株式会社製、オルガチックスＴＣ−４００，濃度８０質量％)を使用し、有機チタン化合物を事前に水で４倍に希釈してから、ポリビニルアルコール(株式会社クラレ製、ポバール１１７ＨＣ:重合度１７００)５％濃度の水溶液１００重量部に前記有機チタン化合物が２重量部となるように加えたものを地中でポリマーゲルとするための材料（以下、「ポリマー液状混合物」という）として使用する。
【００４３】
最初に、地盤土がポリマーゲルに置換された構造の単位構造体を円柱状に構築する例について説明する。
【００４４】
最初に、図１の（ａ），（ｂ）工程に示すように、オーガースクリュー１のロッドを正転させながら地盤を所定深度まで掘削する。図１の(ｃ)工程に示すように、オーガースクリュー１の先端が所定深度に達したなら、オーガースクリュー１の先端から前記したポリマー液状混合物を吐出し始める。
【００４５】
そして、図１の(ｄ)工程に示すように、オーガースクリュー１の先端からポリマー液状混合物を吐出しつつ、オーガースクリュー１を正転させながら徐々に引き上げる。
【００４６】
オーガースクリュー１を徐々に引き上げると、オーガースクリュー１の引き上げるに伴い掘削土は地上に排出され、同時にオーガースクリュー１を引き上げた後の掘削穴には、図１の(ｅ)工程に示すように掘削土が混入しないポリマー液状混合物が円柱状に充填され、当該ポリマー液状混合物は時間の経過とともにポリマーゲル化して単位構造体２（以下「ポリマー円柱体２」という）が構築される。
【００４７】
また、このポリマー円柱体２を複数、その一部を互いに重複させながら地中に順次構築することにより、複数のポリマー円柱体が一体的に連続した構造のポリマーゲルからなる地中連続壁が構築される。なお、この構築方法では、例えば図２に示すようなオーガースクリュー１を備えた施工装置３が使用される。
【００４８】
このようにして、ポリマーゲルからなる地中連続壁を構築する場合、例えば図３(ａ)、(ｂ)に示すように、先に構築されるポリマー円柱体２Ａ(以下、「ポリマー円柱体２Ａ」という)を構築し、続いて、当該ポリマー円柱体２Ａの後から構築されるポリマー円柱体２Ｂ(以下、「ポリマー円柱体２Ｂ」という)をポリマー円柱体２Ａと一部を互いに重複させて構築してもよく、あるいは図３(ｃ)に示すように、複数のポリマー円柱体２Ａ，２Ａを所定間隔あけて構築し、続いて、当該ポリマー円柱体２Ａ，２Ａの間にポリマー円柱体２Ｂを両側のポリマー円柱体２Ａと一部を互いに重複させて構築してもよい。
【００４９】
また、いずれの場合も、ポリマー円柱体２Ｂを構築する前に、ポリマー円柱体２Ａ内に、例えば図３（ｄ）に示すような仕切部材４（以下「仕切板４」という）を建て込み、当該仕切板４をガイドにしてポリマー円柱体２Ｂを構築する。
【００５０】
ポリマー円柱体２Ｂの構築方法は、ポリマー円柱体２Ａの構築方法と同じで、図２に示した施工装置３によって構築する。ただ、ポリマー円柱体２Ｂを構築する際、ポリマー円柱体２Ａの重複した部分のポリマー液状混合物が掘削土と共に地上に排出される。
【００５１】
また、仕切板４は、ポリマー円柱体２Ｂを構築する間、ポリマー円柱体２Ａと２Ｂとを仕切るための仕切部材であるとともに、ポリマー円柱体２Ｂを構築するためのオーガースクリュー１を地中に掘進させる際のガイド部材であり、その断面形状は図３(ｄ)に示すように、ポリマー円柱体２Ｂの曲率半径に見合う断面円弧状をなしている。
【００５２】
なお、柔軟な地盤にポリマー円柱体２Ａと２Ｂを連続して構築する場合、仕切板４は、図３(ｂ)に示すように、その外縁部４ａ，４ａがポリマー円柱体２Ａよりも外側に大きくはみ出した断面形状をなす姿とすることが好ましい。
【００５３】
図３(ａ)、(ｂ)に示すように、ポリマー円柱体２Ａ内に仕切板４を建て込んだ後、この仕切板４をガイドとしてポリマー円柱体２Ｂを構築するが、ポリマー円柱体２Ｂを構築するオーガースクリュー１が仕切り板４に当たり仕切板４を損傷しないように、仕切板４とポリマー円柱体２Ｂとの間隔を１０ｍｍ程度あけておくことがより好ましい。
【００５４】
仕切板４とポリマー円柱体２Ｂとの間隔がこの程度あれば、仕切板４を引き上げると、ポリマー円柱体２Ａと２Ｂとなるゲル化前のポリマー液状混合物がこの隙間に流れ込み、ポリマー円柱体２Ａと２Ｂが一体的に連続した構造とすることができる。
【００５５】
なお、図３(ｃ)に示すように、複数のポリマー円柱体２Ａ，２Ａを所定間隔あけて構築し、当該ポリマー円柱体２Ａ，２Ａの間に当該ポリマー円柱体２Ａ，２Ａと一部を互いに重複させてポリマー円柱体２Ｂを構築する場合は、図３(ｃ)に示した断面円形状の仕切部材４を使用する代わりに、図３(ａ)、(ｂ)に示した断面円弧状の仕切板４を両側のポリマー円柱体２Ａ，２Ａ内にそれぞれ建て込み、続いてホリマー円柱体２Ｂを両側のポリマー円柱体２Ａ，２Ａと一部を重複させて構築し、そしてその後、両側の仕切板４を引き上げることにより、ポリマー円柱体２Ａと２Ｂが一体的に連続した構造とすることができる。
【００５６】
このように、ポリマー円柱体２Ａと２Ｂが一部重複して一体的に連続した構造となり、時間の経過とともにポリマー液状混合物がポリマーゲルとなることで、ポリマーゲルからなる地中連続壁が構築される。なお、これらの例で使用した仕切板４は鋼製であり、表面に剥離剤などが塗布されたものである。また、断面円弧状の仕切板４は、例えば鋼管の一部をその軸方向に切断する等の方法により簡単に形成することができる。
【００５７】
次に、図３(ａ)に示した地中連続壁の構築方法を工程順に図４に示す。図４においては、上部に各工程を真上から見た図を示し、その下側に縦断面方向から見た図を示している。
【００５８】
図４の(ａ)工程に示すように、オーガースクリュー１にてポリマー円柱体２Ａを構築した後、ポリマー円柱体２Ａのポリマー液状混合物がゲル化する前に、仕切板建て込み定規材５，５に沿って仕切板建て込み定規６を、(b) 工程に示すように、所定の位置に移動し、次に仕切板建て込み定規６に沿って仕切板４を所定の位置に建て込む。
【００５９】
なおここで、仕切板建込み定規材５と仕切板建て込み定規６は、仕切板４をポリマー円柱体２Ａ内に正確に建て込むための冶具であり、このうち仕切板建込み定規材５，５は、ポリマー円柱体２Ａの両側に、ポリマー円柱体２Ａを構築した後から順次構築されるポリマー円柱体２Ｂの施工方向に平行に設置され、また、仕切板建込み定規６は仕切板建込み定規材５,５間に架け渡して設置され、かつポリマー円柱体２Ｂの施工方向に随時移動して用いられるものである。
【００６０】
次に、ポリマー円柱体２Ａのポリマー混合溶液がゲル化した後、仕切板建て込み定規６を次の工程の邪魔にならない位置に移動し、(ｃ)工程に示すように、オーガースクリュー１を仕切板４に沿って地中に掘進させることによりポリマー円柱体２Ｂを構築する。
【００６１】
なお、(ｃ)工程に示すように、仕切板建て込み定規６の一部材として設置された直線状の定規部材６ａで仕切板４を押さえ付けることもできる。そして、ポリマー円柱体２Ｂの構築が終わった後、(d)工程に示すように、クレーンにて仕切板４を引き上げる。
【００６２】
このようにして、(ｅ)工程に示すように、二つのポリマー円柱体２Ａとポリマー円柱体２Ｂが互いに一部重が重複した姿(即ち、オーバーラップ状態)でポリマー液状混合物が連続して充填された構造となる。そして、時間の経過とともにポリマー液状混合物がポリマーゲルしてポリマーゲルからなる地中連続壁が構築される。
【００６３】
なお、図４に示した構築方法では、仕切板４の建て込み、その後にオーガースクリュー１を挿入してポリマー円柱体２Ｂを構築したが、図５に示すように、断面円弧状のケーシング７を有するオーガースクリュー方式の施工装置を使用することにより、円弧状ケーシング７を仕切板として利用することができる。
【００６４】
この場合の円弧状ケーシング７の下端は、オーガースクリュー１の先端よりも下方に出ている必要がある。円弧状ケーシング７の先端がオーガースクリュー１の先端よりも下方に出ていないと、ポリマーゲルが柔軟であることから、オーガースクリュー１がポリマー円柱体２Ａのポリマーゲルを巻き込み、破損させてしまうおそれがあるからである。
【００６５】
また、円弧状のケーシング７の下端がオーガースクリュー１の先端よりも下方に突出していることから、ケーシング７の先端は鋭角に形成して未掘削の地盤中に挿入しやすくするとよい。
【００６６】
次に、図３(ｃ)に示した断面円形状（円環状）のケーシングを仕切部材として使用する具体例を図６に基いて説明する。
【００６７】
図６(a)，(b)に示すように、この場合も、図５の場合と同様に、ケーシング８の下端はオーガースクリュー１の先端よりも下方に突出し、その先端は地盤に挿入しやすいように鋭角に形成されている。
【００６８】
仕切部材として断面円形状のケーシング８を使用する場合、オーガースクリュー１によって掘削された土砂は、ケーシング８の最上段より地上に排出されることになり、ケーシング８と当該ケーシング８内に設置されたオーガースクリュー１との間には最上部まで多量の土砂が常に充填された状態にある。
【００６９】
このような状態を避けるためには、図６(a)， (ｂ)に示すように、ケーシング８に所定間隔おきに排土用穴８ａを設け、オーガースクリュー１の掘進深さに応じて地表面に出ている排土用穴８ａから掘削土を地上に排出するようにすればよい。
【００７０】
但し、この排土用穴８ａが開いたままの状態で、ケーシング８が地中に入っていくと、地中で排土用穴８ａから掘削土がポリマー円柱体内にこぼれ落ちたり、あるいは先行ポリマー円柱体内のポリマー液状混合物がケーシング８の外に流れ出たりする恐れがある。
【００７１】
そこで、ケーシング８に設けられた排土用穴８ａにはシャッター(図省略)が設けられ、排土用穴８ａが塞がれるようになっている。この排土用穴８ａのシャッターを閉じるのは、排土用穴８ａが地表面近くにあるときである。このようにシャッターが閉じられた排土用穴８ａより上側の排土用穴８ａからオーガースクリュー１によって揚げられてきた掘削土が地上に排出される。
【００７２】
以上、ポリマー液状混合物が充填されたポリマー円柱体２を構築し、当該ポリマー円柱体２を複数、一部を互いに重複させながら連接することによってポリマー液状混合物が充填された連続構造体を構築し、かつ時間の経過とともにポリマー液状混合物がポリマーゲルとなってポリマーゲルからなる地中連続壁を構築する具体的例を示した。
【００７３】
次に、地盤土がポリマーゲルに置換された構造の単位構造体を四角柱状に構築する例について説明する。
【００７４】
まず、図７の（ａ）工程に示すように、トレンチカッター９を単位構造体の構築予定位置の地上に垂直にセットする。そして、図７の(ｂ)工程に示すように、トレンチカッター９のカッターチェーン１０を正転させながら地盤を所定深度まで掘削する。この場合、カッターチェーン１０を正転させていることで掘削と同時に掘削土は地上に排出される。
【００７５】
次に,トレンチカッター９の先端が所定深度に達したなら、カッターチェーン１０を停止し、図７の(ｄ)工程に示すように、トレンチカッター９の先端から前記したポリマー液状混合物を吐出し始め、同時にトレンチカッター９を徐々に引き上げる。
【００７６】
トレンチカッター９の先端からポリマー液状混合物を吐出しながらトレンチカッター９を引き上げると、図７の(ｅ)の工程に示すように、トレンチカッター９を引き上げた後の掘削穴には掘削土が混入しないポリマー液状混合物が四角柱状に充填され、かつ当該ポリマー液状混合物が時間の経過とともにポリマーゲル化して単位構造体１１（以下「ポリマー四角柱体１１」という）が構築される。
【００７７】
図７で説明した構築方法では、図示するようなチェーンカッター方式の掘削装置１３が使用され、特に昇降可能なトレンチカッター９の外周を回転(循環)するカッターチェーン(無端チェーン)１０が取り付けられ、このカッターチェーン１０に取付プレート１４が取り付けられ、さらに取付このプレート１４の上に掘削ビット（掘削刃）が取り付けられている。
【００７８】
また、トレンチカッター９の断面形状は長方形であり、その両短辺側に多数の掘削ビットが掘削幅に亘りお互いの取付位置を互いに変えて取り付けられ、カッターチェーン１０を回転させることにより長方形に掘削することができるようになっている。
【００７９】
なお、図８は、パックホウにおいて取り付けられているシャベルの代わりに上記したトレンチカッター(チェーンカッター方式の掘削装置)９を取り付けた装置を示したものである。
【００８０】
上記したように掘削土が混入しないポリマー液状混合物が充填されたポリマー四角柱体１１を複数、一部を互いに重複させながら地中に順次構築することにより、複数のポリマー四角体１１が一体に連続した構造のポリマーゲルからなる地中連続壁が構築される。
【００８１】
なお、この場合、例えば図９(ａ)に示すように、先に構築されるポリマー四角柱体１１Ａ(以下「ポリマー四角柱体Ａ」という)を構築し、続いて、当該ポリマー四角柱体１１Ａの後から構築されるポリマー四角柱体１１Ｂ(以下「ポリマー四角柱体Ｂ」という)をポリマー四角柱体１１Ａと一部を重複させて構築してもよく、あるいは図９(ｂ)に示すように、複数のポリマー四角柱体１１Ａ，１１Ａを所定間隔あけて構築し、続いて、当該ポリマー四角柱体１１Ａ，１１Ａの間にポリマー四角柱体１１Ｂを両側のポリマー四角柱体１１Ａ，１１Ａと一部を重複させて構築してもよい。
【００８２】
いずれの場合も、ポリマー四角柱体１１Ｂを構築する前に、ポリマー四角柱体１１Ａの中に図９(ｃ)に図示するような仕切部材１２（以下「仕切板１２」という）を建て込み、当該仕切板１２をガイドとしてポリマー四角柱体１１Ｂを構築する。
【００８３】
仕切板１２は板状のものであり、その幅方向の長さが構築される地中連続壁の厚さよりも少し長いものであれば、仕切板１２の幅方向の両端１２ａ，１２ａが未掘削の地盤中に差し込まれることにより、ポリマー四角柱体１１Ｂを構築する際に、孔壁側からポリマー四角柱体１１Ａ内に掘削土が混入するのを防止することができる。
【００８４】
また、仕切板１２は、例えば図１０に示すように、チェーンカッター方式の掘削装置のカッターポスト１５の短辺側の片側または両側に取り付けて使用することもできる。また、先の図５や図６で説明したと同様の理由により、この場合も、仕切板１２の下端は鋭角に形成され、かつカッターポスト１５の下端面においてカッターチェーン１０により循環されている掘削ビットの先端部よりも下方に延びている。
【００８５】
このような構造の仕切板付きチェーンカッター方式の掘削装置を用いると、仕切板１２の建て込みおよび引き上げと同時にポリマー四角柱体１１Ｂを構築することができるため、作業性が非常によい。
【００８６】
なお、このときカッターチェーン１０に付着した掘削土は、カッターボスト１５を引き上げる際に地上に排出されるため、カッターポスト１５を引き上げた後の掘削穴はポリマー液状混合物が充填された状態になる。
【００８７】
このように装置の引き上げが完了すると、両側の先行ポリマー四角柱体とその間の後行ポリマー四角柱体が一体化されて、ポリマー液状混合物が充填された連続する構造体となり、時間が経過すると、地中でポリマーゲルとなる材料がポリマーゲルとなり、ポリマーゲルからなる地中連続壁となる。
【００８８】
図１１は、上記したオーガースクリュー１やトレンチカッター９が装備された施工装置によってポリマーゲルからなる地中連続壁を構築する際に、地盤土と置換するポリマー液状混合物を調整するためのプラント装置も示したものである。
【００８９】
図１１におけるプラント装置は、全体に電力を供給するための発電機１６、原料であるポリマー（水溶液）１７や架橋剤１８の貯蔵部分、水槽１９、上記材料を混合攪拌するためのミキサー２０およびそれを施工機に供給するためのポンプ２１等から構成されている。
【００９０】
図１１において上段に示した施工装置はオーガースクリュー１であり、下段に示したのはトレンチカッター施工装置であり、所望の時点でこれらの装置の下方にポリマー液状混合物が上記ポンプ２１から供給される。
【産業上の利用可能性】
【００９１】
本発明は、地盤土がポリマーゲルに置換された単位構造体を複数、一部を互いに重複させながら地中に順次構築して強度および遮水性にすぐれ、かつ地震や車両通過時の振動を遮断可能な地中連続壁を構築することができる。
【図面の簡単な説明】
【００９２】
【図１】（ａ）〜（ｅ）は、単位構造体であるポリマー円柱体を構築する施工手順を示す工程図である。
【図２】ポリマー円柱体を構築する施工装置の一例を示す側面図である。
【図３】（ａ），（ｂ）、（ｃ）は先に構築されたポリマー円柱体、当該ポリマー円柱体の後から構築されるポリマー円柱体および仕切板の位置関係を示す横断面図図、（ｄ）は仕切板の一例を示す一部斜視図である。
【図４】（ａ）〜（ｅ）は、ポリマーゲルからなる地中連続壁を構築する施工手順を示す工程図である。
【図５】仕切部材を装備したオーガースクリューによるポリマー円柱体の構築方法を示し、（ａ）はその側面図、（ｂ）は（ａ）の下部部分の拡大図、（ｃ）は（ｂ）の横断面図である。
【図６】ポリマー円柱体を構築するオーガースクリューの図５とは異なる例を示し、（ａ）はケーシングを断面状態で示した図、(ｂ)はケーシングの外観図、（ｃ）はロッド部での断面図、（ｄ）は（ｃ）の拡大図、（ｅ）は(ａ)の下端部の拡大図、（ｆ）は（ｅ）を９０度回転した姿の図、（ｇ）は（ｅ）の掘進時の姿の図である。
【図７】（ａ）〜（ｅ）は、地中連続壁となるポリマー四角柱体を構築する施工手順を示す工程図である。
【図８】ポリマー四角柱体を構築する施工装置の一例を示す側面図である。
【図９】(ａ)，(ｂ)は、先に構築されたポリマー四角柱体、当該ポリマー四角柱体の後から構築されるポリマー四角柱体および仕切板の位置関係を示す横断面図、（ｃ）は仕切板の一部斜視図である。
【図１０】ポリマー四角柱体を構築する施工装置の図８とは異なる例を示し、（ａ）は装置全体を示す図、（ｂ）は（ａ）の要部の横断面図、（ｃ）は（ａ）の一部拡大図である。
【図１１】地盤土と置換するポリマー液状混合物を調整するためのプラントも示す説明図である。
【符号の説明】
【００９３】
１  オーガースクリュー
２  ポリマー円柱体(単位構造体)
２Ａ  先に構築されるポリマー円柱体
２Ｂ  後から構築されるポリマー円柱体
３  施工装置
４  仕切板(仕切部材)
５  仕切板建て込み定規材
６  仕切板建込み定規
７  ケーシング
８  ケーシング
９  トレンチカッター
１０  カッターチェーン
１１  ポリマー四角柱体(単位構造体)
11Ａ  先に構築されるポリマー四角柱体
11Ｂ  後から構築されるポリマー四角柱体
１２  仕切板(仕切部材)
１３  施工装置
１４  取付プレート
１５  カッターポスト
１６  発電機
１７  ポリマー（水溶液）
１８  架橋剤
１９  水槽
２０  ミキサー
２１  ポンプ
【図１】
2006274631.tif 000003
【図２】
2006274631.tif 000004
【図３】
2006274631.tif 000005
【図４】
2006274631.tif 000006
【図５】
2006274631.tif 000007
【図６】
2006274631.tif 000008
【図７】
2006274631.tif 000009
【図８】
2006274631.tif 000010
【図９】
2006274631.tif 000011
【図１０】
2006274631.tif 000012
【図１１】
2006274631.tif 000013